(57)【要約】【課題】お祝い金や香典を安全で簡便に授受するための自動取引装置。【解決手段】振込先を結婚式及び披露宴や葬儀を行う運営者の口座に固定し、初期画面表示手段３１ａにより、式典の主催者に合わせて作成された初期画面を表示してその式典への参会者に対し、お祝い金や香典の振込を促す。式典会場において参会者の操作により直接ＡＴＭ１０に入金されるため安全且つ簡便にお祝い金や香典の授受を行うことができる。更に、招待状等にＩＣタグ又は磁気ストライプ等を設け、利用者の住所、氏名等を記憶させておき、お祝い金等の振込時にこの招待状をＡＴＭ１０Ｃに挿入することによって利用者の住所、氏名の入力を省略することができるので振込操作の簡便化の効果が得られる。【選択図】図１
2010277523.tif 000002
【特許請求の範囲】
【請求項１】
利用者の操作によって取引を行う自動取引装置において、
振込取引時の振込先が固定されていることを特徴とする自動取引装置。
【請求項２】
利用者の操作によって取引を行う自動取引装置において、
前記利用者に操作画面を表示する入力操作部と、
固定された振込先への振込を促す初期画面表示手段と、
振込金額を確定する金額確定手段と、
前記利用者の利用者情報を取得する利用者情報取得手段と、
振込情報を出力する振込情報出力手段と、
を有することを特徴とする自動取引装置。
【請求項３】
前記利用者情報には、前記使用者の住所、氏名が含まれていることを特徴とする請求項２記載の自動取引装置。
【請求項４】
前記利用者情報取得手段は、前記利用者情報の入力用画面を前記入力操作部に表示し、前記利用者に入力を促すことを特徴とする請求項２又は３記載の自動取引装置。
【請求項５】
前記利用者情報取得手段は、記憶部を有し、前記利用者の操作により入力された利用者識別情報に基づき、前記記憶部に記憶された参加者リストを参照して前記利用者情報を取得することを特徴とする請求項２又は３記載の自動取引装置。
【請求項６】
前記利用者識別情報は、ＩＣタグ又は磁気ストライプに記憶されていることを特徴とする請求項５記載の自動取引装置。
【請求項７】
前記利用者識別情報は、バーコード又は二次元コードによって表現されていることを特徴とする請求項５記載の自動取引装置。
【請求項８】
前記利用者情報取得手段は、前記記憶部を有し、座席表を前記入力操作部に表示し、前記利用者に対し、前記利用者の座席の位置の押下を促し、この押下信号に基づき、前記記憶部に記憶された参加者リストを参照して前記利用者情報を取得することを特徴とする請求項２又は３記載の自動取引装置。
【請求項９】
前記自動取引装置は、更に、
振込取引の履歴を記憶し、前記履歴を外部記憶装置に出力する履歴出力手段を有することを特徴とする請求項２〜８のいずれか１項に記載の自動取引装置。
【請求項１０】
前記振込情報出力手段は、前記振込情報を出力すると同時に各種案内を出力することを特徴とする請求項２〜９のいずれか１項に記載の自動取引装置。
【発明の詳細な説明】
【技術分野】
【０００１】
本発明は、結婚式・披露宴や葬儀における祝い金や香典等を振込む自動取引装置に関するものである。
【背景技術】
【０００２】
従来、結婚式・披露宴や葬儀等に出席する際には、お祝い金や香典として現金を祝儀袋や不祝儀袋に封入し、受付で手渡しすることが慣習的に行われている。しかし、袋に封入した現金を受付で手渡しする方法においては、盗難や紛失のリスクが存在する。これを解決するための先行技術が下記の特許文献１に記載されている。特許文献１の技術は、利用者が、予め金融機関においてお祝い金や香典の振込を行い、振込情報をバーコード印刷した明細書を会場に持参するものであった。
【先行技術文献】
【特許文献】
【０００３】
【特許文献１】特開２００５−２１６０３６号公報
【発明の概要】
【発明が解決しようとする課題】
【０００４】
しかしながら、従来の技術では、利用者は、予め金融機関等に出向かなければならない。更に、発行された明細書等を紛失するリスクもあった。
【課題を解決するための手段】
【０００５】
本発明の自動取引装置は、利用者の操作によって取引を行う自動取引装置であって、振込取引時の振込先が固定されていることを特徴としている。
【０００６】
本発明の他の自動取引装置は、利用者の操作によって取引を行う自動取引装置であって、前記利用者に操作画面を表示する入力操作部と、固定された振込先への振込を促す初期画面表示手段と、振込金額を確定する金額確定手段と、前記利用者の利用者情報を取得する利用者情報取得手段と、振込情報を出力する振込情報出力手段とを有している。
【発明の効果】
【０００７】
本発明によれば、利用者は、結婚式場又は葬儀場に設置され、予め、振込先が固定してある自動取引装置を用いて振込ができるので利用者にとっての利便性が高まると同時に、現金を自動取引装置に回収してしまうため、現金の紛失、盗難のリスクが軽減される。
【図面の簡単な説明】
【０００８】
【図１】図１は本発明の実施例１における図２のＡＴＭの機能ブロック図である。
【図２】図２は本発明の実施例１における自動取引装置（例えば、ＡＴＭ）を示す外観図である。
【図３】図３は本発明の実施例１におけるシステムの概略を示す構成図である。
【図４】図４は図１中の入力操作部１２上に取引開始前に表示される初期画面を示す図である。
【図５】図５は図１の振込情報出力手段により出力される明細票を示す説明図である。
【図６】図７は本発明の実施例１における図１のＡＴＭ１０の振込取引時の動作を示すフローチャートである。
【図７】図７は本発明の実施例２における図２のＡＴＭの機能ブロック図である。
【図８】図８は本発明の実施例２における香典一覧表の例を示す説明図である。
【図９】図９は本発明の実施例３における図２のＡＴＭの機能ブロック図である。
【図１０】図１０は実施例２における図９中の入力操作部１２上に取引開始前に表示される初期画面を示す図である。
【図１１】図１１は図９の振込み情報出力手段により出力される明細書を示す説明図である。
【図１２】図１２は本発明の実施例４における図２のＡＴＭの機能ブロック図である。
【図１３】図１３は実施例４における図１２中の入力操作部１２上に表示される画面の推移を示す図である。
【図１４】図１４は本発明の実施例５における図２のＡＴＭの機能ブロック図である。
【図１５−１】図１５−１は実施例における図１４中の入力操作部１２上に表示される画面の推移を示す図である。
【図１５−２】図１５−２は実施例における図１４中の入力操作部１２上に表示される画面の推移を示す図である。
【図１５−３】図１５−３は実施例における図１４中の入力操作部１２上に表示される画面の推移を示す図である。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図２は、本発明の実施例１における自動取引装置（例えば、ＡＴＭ）を示す概略の外観図である。
【００１１】
本実施例１のＡＴＭ１０は、結婚式場や葬儀場に設置され、利用者自身の操作により、振込取引を行うためのものである。
【００１２】
ＡＴＭ１０は、熱や衝撃に対し一定の強度を有する鉄材で作られたキャビネット１１で覆われている。ＡＴＭ１０の前面には、利用者が操作するための操作面１１ａが略水平に利用者の方向に突き出している。操作面１１ａの奥方向には、操作面１１ａから連続して投入面１１ｂが設置されている。更に、投入面１１ｂに連続して挿入面１１ｃが略垂直に立ち上がっている。
【００１３】
前記操作面１１ａには、操作のためのガイダンスを表示し各種取引のための入力を行う入力操作部１２と、バーコード読み取り部１４とが設けられている。投入面１１ｂには、振込取引で使用する接客口、すなわち紙幣投入取出口１３が設けられている。
【００１４】
挿入面１１ｃには、キャッシュカード（以下「カード」という。）を挿入するカード取扱口１５及び音声等を出力するスピーカ１６が設けられている。
【００１５】
図１は、本発明の実施例１における図２のＡＴＭを示す概略の機能ブロック図である。
【００１６】
このＡＴＭ１０は、中央処理装置を有する制御部３１と、プログラムやデータを記憶するための記憶部３２と、ホストコンピュータ１と通信を行うための通信部３３とを有している。制御部３１は、プログラム制御によりＡＴＭ１０全体を制御するものであり、この制御部３１は、初期画面表示手段３１ａ、金額確定手段３１ｂ、利用者情報取得手段３１ｃ及び振込情報出力手段３１ｄを有している。制御部３１により制御される入力操作部１２は、文字や図形等で構成される操作画面を表示する画面表示機能と、情報入力のためのタッチパネル等による入力機能とを有している。
【００１７】
更に、ＡＴＭ１０は、制御部３１により制御されるカードリーダプリンタ部３４、紙幣入出金部３５、及びバーコード処理部３６を有している。カードリーダプリンタ部３４は、カードの内容の読み取り書き込みを行い、更に、取引明細をレシートに印字して排出する機能を有している。紙幣入出金部３５は、紙幣の真贋を鑑別し、計数して振込用の紙幣を受け付ける機能を有している。バーコード処理部３６は、バーコード読み取り部１４を制御してバーコードを読み取る機能を有している。
【００１８】
図３は、本発明の実施例１におけるシステムの概略を示す構成図である。
振込専用のＡＴＭ１０は、通常、結婚式場又は葬儀場に設置され、通信回線３を介してホストコンピュータ１に接続されている。ホストコンピュータ１は、顧客管理ファイルや口座情報ファイル等のデータベース２を有している。
【００１９】
図４は、図１中の入力操作部１２上に取引開始前に表示される初期画面を示す説明図である。
【００２０】
図４の初期画面には、○○家の○○△△様の香典振込画面である旨のメッセージと、次へボタン１２ａが表示されている。
【００２１】
図５は、図１の振込情報出力手段３１ｄにより出力される明細票を示す説明図である。
【００２２】
本実施例１においては、振込取引の最終段階で振込取引の取引明細票が振込情報出力手段３１ｄで作成され、カードリーダプリンタ部３４によって印字されてカード取扱口１５から排出される。取引明細票は２枚で構成され、１枚目は利用者の控用、２枚目は式典の受付への提出用である。
【００２３】
（実施例１のＡＴＭ１０の振込取引時の動作）
図６は、本発明の実施例１における図１のＡＴＭ１０の振込取引時の動作を示すフローチャートである。
【００２４】
ＡＴＭ１０への電源の投入によりＡＴＭ１０の動作が開始され、ステップＳ１において、初期画面表示手段３１ａによって、図４に示す初期画面が入力操作部１２に表示される。利用者により、次へボタン１２ａが押下されて振込取引が開始される。ステップＳ２において、金額確定手段３１ｂにより、シャッタ１７が開けられて図示しない紙幣のセットを促す画面が表示され、利用者により紙幣がセットされる。
【００２５】
セットされた紙幣は、真贋鑑別されて計数され、ＡＴＭ１０の図示しない一時保留部に保留される。ここで、図示しないが、計数された金額が入力操作部１２に表示され、利用者の確認を待つ。取消しボタン１２ｃが押下されると、紙幣を接客口１３へ返却し、取引を終了する。確認ボタン１２ｂが押下されたときは、ステップＳ３へ進む。ステップＳ３において、利用者情報取得手段３１ｃにより、図示しない、利用者の氏名、住所等を入力する画面が表示され、利用者によりこれらの利用者の情報が入力される。
【００２６】
ステップＳ４において、受取人の氏名、銀行名、口座番号等及び振込人の氏名、住所等が入力操作部１２に表示されて利用者の確認を促す。ここで、本実施例１においては、受取人の氏名、銀行名、口座番号等は、当該の式典の運営者、例えば、結婚式場の運営会社や葬儀会社等によって予め、ＡＴＭ１０に設定されている。
【００２７】
ステップＳ５において、図示しない確認ボタンが押下されると、金額等の情報をホストコンピュータ１に送信する。ホストコンピュータ１から取引の成立の通知を受信すると、ステップＳ７において、振込情報出力手段３１ｄにより、図５に示す明細書の編集が行われ、カードリーダプリンタ部３４で図５に示す取引明細票が印字されてカード取扱口１５から排出される。ステップ５において、確認ボタンが押下されず、例えば、図示しない取消ボタンが押下されたとすると紙幣を紙幣投入取出口１３へ返却し、ステップＳ１の初期画面表示に戻る。
【００２８】
（実施例１の効果）
本実施例１によれば、利用者は、予め金融機関のＡＴＭ１０に出向かなくても結婚式場又は葬儀場でお祝い金又は香典の振込ができ、利用者にとって利便性が高まる。更に、お祝い金又は香典等を受け取る側もＡＴＭ１０に現金が収納されるので、紛失盗難のリスクを軽減できるという効果がある。
【００２９】
（実施例１の変形例）
実施例１では、現金を用いて、振込を行うこととしたが、利用者の口座から振込むこともできる。
【実施例２】
【００３０】
（実施例２の構成）
図７は、本発明の実施例２における図２のＡＴＭの機能ブロック図であり、実施例１を示す図１中の要素と共通の要素には共通の符号が付されている。
【００３１】
本実施例２におけるＡＴＭ１０Ａの構成は、実施例１を示す図２のＡＴＭ１０の構成とほぼ同様であるが、履歴管理手段３１ｅと、外部記憶装置３８と、外部記憶装置３８を駆動するためのドライバ３７が追加され設けられている点が異なっている。
【００３２】
図８は、実施例２における香典一覧表の例を示す図である。
香典一覧表は、葬儀への参会者の住所、氏名と香典金額を一覧に記録した表であって、葬儀の主催者が参会者へ御返しをする際に活用される。
【００３３】
（実施例２のＡＴＭ１０Ａの振込取引時の動作）
本実施例２におけるＡＴＭ１０Ａの入金取引時の動作は、実施例１と同様であるが、振込取引の履歴が履歴管理手段３１ｅによって記録される。葬儀が終了すると葬儀の運営者の係員の操作で、振込取引の履歴が履歴管理手段３１ｅによってフロッピー（登録商標）ディスク、光ディスク（ＭＯ）、ＵＳＢメモリ（Universal  Serial  Bus  メモリ）等の外部メモリに出力される。
【００３４】
この外部記憶装置３８に出力された振込取引のデータを基に別途、図８に示す香典一覧表を作成して葬儀の主催者に提供する。香典一覧表の作成は、ＡＴＭ１０Ａにその機能を設けて行ってもよいし、パーソナルコンピュータを用いて行ってもよい。
【００３５】
（実施例２の効果）
本実施例２によれば、実施例１の効果に加え、香典の受取者は、香典一覧表の作成が不要となって明細票との付け合せのみの作業となり、手間を軽減する効果が得られる。
【実施例３】
【００３６】
（実施例３の構成）
図９は、本発明の実施例３における図２のＡＴＭの機能ブロック図であり、実施例１を示す図１中の要素と共通の要素には共通の符号が付されている。
【００３７】
本実施例３におけるＡＴＭ１０Ｂの構成は、実施例１を示す図２のＡＴＭ１０の構成とほぼ同様であるが、初期画面表示手段３１ａが初期画面表示手段３１ａＢに、振込情報出力手段３１ｄが振込情報出力手段３１ｄＢに置き換えられている点が異なっている。
【００３８】
図１０は、実施例３における図９中の入力操作部１２上に取引開始前に表示される初期画面である。
【００３９】
本実施例３における初期画面は、実施例１における図４の初期画面とほぼ同様であるが、「お知らせ    通夜      ：２月２５日    １８：００から
告別式    ：２月２６日    １３：００から」のメッセージが表示されている点が異なる。
【００４０】
図１１は、図９の振込情報出力手段により出力される明細書を示す説明図である。
【００４１】
本実施例３における明細書は、実施例１における図５の明細書とほぼ同様であるが、「お知らせ    通夜      ：２月２５日    １８：００から
告別式    ：２月２６日    １３：００から」のメッセージが印字されている点が異なる。
【００４２】
（実施例３のＡＴＭ１０Ｂの振込取引時の動作）
本実施例３におけるＡＴＭ１０Ｂの入金取引時の動作は、実施例１とほぼ同様であるが、図６のステップＳ１の初期画面表示処理とステップＳ７の明細書編集、出力処理が異なっている。
【００４３】
実施例１では、図６のステップＳ１において、初期画面表示手段３１ａによって、図４に示す初期画面が表示されるが、本実施例３では、図１０に示す初期画面が入力操作部１２に表示される。
【００４４】
以下、利用者により、次へボタン１２ａが押下されて振込取引が開始され、実施例１と同様に振込処理が行われる。すなわち、ステップＳ２の紙幣セット処理、ステップＳ３の利用者の氏名、住所等入力処理、ステップＳ４の受取人の氏名、銀行名、口座番号等及び振込人の氏名、住所等の確認処理、ステップＳ５の確認ボタン押下処理、及び金額等ホスト送信処理が実行される。
【００４５】
本実施例３においては、ホストコンピュータ１から取引の成立の通知を受信すると、ステップＳ７において、振込情報出力手段３１ｄＢにより、図１１に示す明細書の編集が行われ、カードリーダプリンタ部３４で図５に示す取引明細票が印字されてカード取扱口１５から排出される。
【００４６】
（実施例３の効果）
本実施例３によれば、実施例１の効果に加え、利用者は、振込操作を行いながら、式典のスケジュールが把握できる効果が得られる。
【実施例４】
【００４７】
（実施例４の構成）
図１２は、本発明の実施例４における図２のＡＴＭの機能ブロック図であり、実施例１を示す図１中の要素と共通の要素には共通の符号が付されている。
【００４８】
本実施例４におけるＡＴＭ１０Ｃの構成は、実施例１を示す図２のＡＴＭ１０の構成とほぼ同様であるが、初期画面表示手段３１ａが初期画面表示手段３１ａＣに、金額確定手段３１ｂが金額確定手段３１ｂＣに、利用者情報取得手段３１ｃが利用者情報取得手段３１ｃＣに、振込情報出力手段３１ｄが振込情報出力手段３１ｄＣに置き換えられている点が異なっている。
【００４９】
図１３（ａ）（ｂ）（ｃ）（ｄ）（ｅ）は、実施例４における図１２中の入力操作部１２上に表示される画面の推移を示す図である。
【００５０】
図１３（ａ）は、初期画面で、○○家・△△家の結婚披露宴の受付画面であることを示している。図１３（ｂ）は、招待状をＡＴＭ１０Ｃのカード取扱口１５に挿入するよう促す画面である。図１３（ｃ）は、お祝い金の投入を促す画面で、利用者の氏名、住所が表示されている。図１３の（ｄ）は、お祝い金の金額を確認し、確定させるための画面で利用者の住所、氏名、金額等及び確認ボタン１２ｂ、取消ボタン１２ｃが表示されている。図１３（ｅ）は、明細票の受け取りを促す画面で「明細票をお受け取りください。有り難うございました。」のメッセージが表示されている。
【００５１】
（実施例４のＡＴＭ１０Ｃの振込取引時の動作）
本実施例４におけるＡＴＭ１０Ｃの入金取引時の動作について図１３を用いて説明する。
【００５２】
ＡＴＭ１０Ｃへの電源の投入によりＡＴＭ１０Ｃの動作が開始され、初期画面表示手段３１ａＣによって、図１３（ａ）に示す初期画面が入力操作部１２に表示される。利用者により、次へボタン１２ａが押下されて振込取引が開始される。利用者情報取得手段３１ｃＣにより、図１３（ｂ）に示す画面が表示され、招待状をカード取扱口１５に挿入するよう利用者に促す。招待状には、磁気ストライプが設けられており、その磁気ストライプには、利用者の住所、氏名等が記憶されている。この磁気ストライプに記憶されている利用者情報を利用者情報取得手段３１ｃＣで読み取ることにより、利用者の住所、氏名等が取得される。
【００５３】
利用者情報を磁気ストライプの代わりに、ＩＣタグに記憶させて招待状に添付してもよい。ＩＣタグの利用者情報はＡＴＭ１０Ｃの図示しないＩＣタグリーダで読み取られる。
【００５４】
次に、金額確定手段３１ｂＣにより、シャッタ１７が開けられて図示しない紙幣の投入を促す図１３（ｃ）の画面が表示され、利用者により紙幣がセットされる。このとき、図１３（ｃ）の画面には、取得された利用者の住所、氏名と「お祝い金を投入してください。」のメッセージが表示され、利用者が自ら、住所、氏名を入力する必要がない。セットされた紙幣は、真贋鑑別されて計数され、ＡＴＭ１０Ｃの図示しない一時保留部に保留される。
【００５５】
図１３（ｄ）に示すように、利用者の住所、氏名と、「お祝い金    ５，０００円でよろしいですか。」のメッセージと、確認ボタン１２ｂ及び取消ボタン１２ｃが表示される。ここで、確認ボタンが１２ｂ押下されると、一時保留された紙幣は、図示しない保管庫に搬送されて保管される。同時に、金額等の情報がホストコンピュータ１に送信される。ホストコンピュータ１から取引の成立の通知を受信すると、振込情報出力手段３１ｄＣにより、図１３（ｅ）に示すように、「明細票をお受け取りください。有り難うございましたの。」のメッセージが表示され、更に、明細票の編集が行われ、カードリーダプリンタ部３４で印字されてカード取扱口１５から排出される。
【００５６】
（実施例４の効果）
本実施例４によれば、実施例１の効果に加え、利用者は、招待状をＡＴＭ１０Ｃに挿入することによって利用者の住所、氏名の入力を省略することができるので振込操作の簡便化の効果が得られる。
【００５７】
（実施例２の変形例）
（ａ）  本実施例２では、招待状をカード取扱口１５に挿入することで利用者の住所、氏名等を読み取るようにしたが、利用者の住所、氏名等をバーコードで招待状や案内状に印刷し、これをバーコード読み取り部１４で読み取るようにしてもよい。更に、バーコードに替えて二次元コードでもよい。
【実施例５】
【００５８】
（実施例５の構成）
図１４は、本発明の実施例５における図２のＡＴＭの機能ブロック図であり、実施例１を示す図１中の要素と共通の要素には共通の符号が付されている。
【００５９】
本実施例５におけるＡＴＭ１０Ｄの構成は、実施例１を示す図２のＡＴＭ１０の構成とほぼ同様であるが、初期画面表示手段３１ａが初期画面表示手段３１ａＤに、金額確定手段３１ｂが金額確定手段３１ｂＤに、利用者情報取得手段３１ｃが利用者情報取得手段３１ｃＤに、振込情報出力手段３１ｄが振込情報出力手段３１ｄＤに置き換えられている点が異なっている。
【００６０】
図１５−１、図１５−２及び図１５−３は、実施例５における図１４中の入力操作部１２上に表示される画面の推移を示す図である。
【００６１】
図１５−１（ａ）は、初期画面で、○○家・△△家の結婚披露宴の受付画面であることを示している。図１５−１（ｂ）は、披露宴の式場の座席表を示しており、テーブルごとに出席予定者の氏名が記載されている。「ご自分の座席にタッチしてください。」とのメッセージが表示されている。
【００６２】
図１５−２（ｃ）は、利用者により押下された座席が当該利用者の席であるか否かを利用者に確認させるための画面で、押下された氏名の位置が点滅又は色が変わる等、利用者の注意を喚起するように表示されている。図１５−２の（ｄ）は、お祝い金の投入を促す画面であり、利用者の住所、氏名が表示されている。図１５−２（ｅ）は、お祝い金の金額を確認し、確定させるための画面で利用者の住所、氏名、金額等及び確認ボタン１２ｂ、取消ボタン１２ｃが表示されている。図１５−３（ｅ）は、座席表の受け取りを促す画面で「座席表を印刷しますのでお受け取りください。有り難うございました。」のメッセージが表示されている。
【００６３】
（実施例５のＡＴＭ１０Ｄの振込取引時の動作）
本実施例４におけるＡＴＭ１０Ｄの入金取引時の動作について図１５−１、図１５−２及び図１５−３を用いて説明する。
【００６４】
ＡＴＭ１０Ｄへの電源の投入によりＡＴＭ１０Ｄの動作が開始され、初期画面表示手段３１ａＤによって、図１５−１（ａ）に示す初期画面が入力操作部１２に表示される。利用者により、次へボタン１２ａが押下されて振込取引が開始される。利用者情報取得手段３１ｃＤにより、図１５−１（ｂ）に示す画面が表示され、座席表の当該利用者の座席位置をタッチするよう利用者に促す。座席位置をタッチすると、図１５−２（ｃ）の画面が表示され、タッチした座席位置が点滅、色が変わる、輝度を高くする等、利用者の注意を喚起するよう表示され、「お名前が確認できましたら確認ボタンを押してください。」のメッセージが表示され、タッチした座席位置が正しいか否かの確認を促す。
【００６５】
確認ボタン１２ｂが押下されると、金額確定手段３１ｂＣにより、シャッタ１７が開けられて紙幣の投入を促す図１５−２（ｄ）の画面が表示され、利用者により紙幣がセットされる。このとき、図１５−２（ｄ）の画面には、利用者の住所、氏名と「お祝い金を投入してください。」のメッセージが表示され、利用者が自ら、住所、氏名を入力する必要がない。セットされた紙幣は、真贋鑑別されて計数され、ＡＴＭ１０Ｄの図示しない一時保留部に保留される。
【００６６】
次に、図１３（ｅ）に示すように、利用者の住所、氏名と、「お祝い金    ５，０００円でよろしいですか。」のメッセージと、確認ボタン１２ｂ及び取消ボタン１２ｃが表示される。ここで、確認ボタン１２が押下されると、一時保留された紙幣は、図示しない保管庫に搬送されて保管される。同時に、金額等の情報がホストコンピュータ１に送信される。ホストコンピュータ１から取引の成立の通知を受信すると、振込情報出力手段３１ｄＤにより、図１５（ｅ）に示すように、「座席表を印刷しますのでお受け取りください。有り難うございました。」のメッセージが表示され、更に、座席表の編集が行われ、カードリーダプリンタ部３４で印字されてカード取扱口１５から排出される。
【００６７】
（実施例５の効果）
本実施例５によれば、実施例１の効果に加え、利用者が、表示された座席表から自席の場所をタッチすることで、利用者の住所、氏名の入力を省略することができるので振込操作の簡便化の効果が得られる。更に、座席表を表示、印刷することにより利用者は、容易に自席を見つけることができる。
【００６８】
（実施１〜５の他の変形例）
本発明は、上記実施例１〜５に限定されず、種々の利用形態や変形が可能である。この利用形態や変形例としては、例えば、次の（ａ）〜（ｄ）のようなものがある。
【００６９】
（ａ）  ＡＴＭ１０，１０Ａ，１０Ｂ，１０Ｃ，１０Ｄは、結婚式場や葬儀場に設置されることで説明したが、設置場所は特に限定されない。金融機関の店舗、コンビニエンスストア等に設置されてもよい。
【００７０】
（ｂ）  ＡＴＭ１０，１０Ａ，１０Ｂ，１０Ｃ，１０Ｄは、振込専用機で説明したが、汎用のＡＴＭに通常の振込取引処理とは別に、振込先を固定とした振込取引機能を設けてもよい。
【００７１】
（ｃ）  振込先は、予め式典の運営者によって設定されていることで説明したが、この設定は、式典のスケジュールに合わせて時間帯ごとに設定してもよい。つまり○○家の披露宴を開催の時間帯は、○○家用の設定を行い、△△家の披露宴の時間帯にはそれ用の設定を行う。
【００７２】
（ｄ）  振込先の口座を複数設けて、式典の主催者ごとに区分して振込を行うようにしてもよい。
【符号の説明】
【００７３】
１０、１０Ａ、１０Ｂ、
１０Ｃ、１０Ｄ                    ＡＴＭ
１２                              入力操作部
１３                              紙幣投入取出口（接客口）
１４                              バーコード読み取り部
１５                              カード取扱口
３１、３１Ａ、３１Ｂ
３１Ｃ、３１Ｄ                    制御部
３１ａ、３１ａＢ、３１ａＣ
３１ａＤ                            初期画面表示手段
３１ｂ、３１ｂＣ、
３１ｂＤ                          金額確定手段
３１ｃ、３１ｃＣ、３１ｃＤ        利用者情報取得手段
３１ｄ、３１ｄＢ、３１ｄＣ、
３１ｄＣ                          振込情報出力手段
３１ｅ、３１ｅＣ                  履歴管理手段
３２                              記憶部
３４                              カードリーダプリンタ部
３５                              紙幣入出金部
３６                              バーコード処理部
【図１】
2010277523.tif 000003
【図２】
2010277523.tif 000004
【図３】
2010277523.tif 000005
【図４】
2010277523.tif 000006
【図５】
2010277523.tif 000007
【図６】
2010277523.tif 000008
【図７】
2010277523.tif 000009
【図８】
2010277523.tif 000010
【図９】
2010277523.tif 000011
【図１０】
2010277523.tif 000012
【図１１】
2010277523.tif 000013
【図１２】
2010277523.tif 000014
【図１３】
2010277523.tif 000015
【図１４】
2010277523.tif 000016
【図１５−１】
2010277523.tif 000017
【図１５−２】
2010277523.tif 000018
【図１５−３】
2010277523.tif 000019